(57)【要約】【課題】紙幣が再投入される場面において、取引の完了時における紙幣の格納状態に復旧させることが可能な、紙幣処理装置を提供する。【解決手段】取引時に投入された紙幣を鑑別し、かつ、前記紙幣の記番号を取得する鑑別部と、前記紙幣の鑑別結果に基づいて、前記紙幣の搬送先を決定する制御部と、取得された前記紙幣の記番号と、前記紙幣に関する取引状況とを対応づけて記憶する記憶部と、を備え、前記制御部は、再投入された紙幣から取得される記番号に対応づけて前記記憶部に記憶されている取引状況に基づいて、前記再投入された紙幣の搬送先を決定する、紙幣処理装置。【選択図】図１２
2015219623.tif 000002
【特許請求の範囲】
【請求項１】
取引時に投入された紙幣を鑑別し、かつ、前記紙幣の記番号を取得する鑑別部と、
前記紙幣の鑑別結果に基づいて、前記紙幣の搬送先を決定する制御部と、
取得された前記紙幣の記番号と、前記紙幣に関する取引状況とを対応づけて記憶する記憶部と、
を備え、
前記制御部は、再投入された紙幣から取得される記番号に対応づけて前記記憶部に記憶されている取引状況に基づいて、前記再投入された紙幣の搬送先を決定する、紙幣処理装置。
【請求項２】
前記制御部は、前記再投入された紙幣から取得される記番号に対応づけて前記記憶部に記憶されている取引状況が取引完了を示すか否かに基づいて、前記再投入された紙幣の搬送先を決定する、請求項１に記載の紙幣処理装置。
【請求項３】
前記記憶部は、前記紙幣の記番号と、前記制御部により決定された前記紙幣の搬送先を示す搬送先情報とをさらに対応づけて記憶し、
前記制御部は、前記再投入された紙幣から取得される記番号に対応づけて前記記憶部に記憶されている取引状況が取引完了を示す場合には、当該記番号に対応づけて前記記憶部に記憶されている搬送先情報が示す場所を前記再投入された紙幣の搬送先として決定する、請求項２に記載の紙幣処理装置。
【請求項４】
前記記憶部は、前記紙幣の記番号と、前記紙幣の鑑別結果とをさらに対応づけて記憶し、
前記制御部は、前記再投入された紙幣から取得される記番号に対応づけて前記記憶部に記憶されている取引状況が取引完了を示す場合には、当該記番号に対応づけて前記記憶部に記憶されている鑑別結果に基づいて、前記再投入された紙幣の搬送先を決定する、請求項２に記載の紙幣処理装置。
【請求項５】
前記鑑別部は、前記再投入された紙幣をさらに鑑別し、
前記制御部は、前記再投入された紙幣から取得される記番号に対応づけて前記記憶部に記憶されている取引状況が取引完了を示す場合には、前記再投入された紙幣の鑑別結果に基づいて、前記再投入された紙幣の搬送先を決定する、請求項２に記載の紙幣処理装置。
【請求項６】
前記制御部は、前記再投入された紙幣から取得される記番号に対応づけて前記記憶部に記憶されている取引状況が取引完了を示さない場合には、前記再投入された紙幣の搬送先を、紙幣を排出するための排出部に決定する、請求項２〜５のいずれか一項に記載の紙幣処理装置。
【請求項７】
前記制御部は、前記再投入された紙幣から取得される記番号が前記記憶部に記憶されていない場合には、前記再投入された紙幣の搬送先を前記排出部に決定する、請求項６に記載の紙幣処理装置。
【請求項８】
前記紙幣の鑑別結果は、前記紙幣の種類、前記紙幣の状態、または鑑別時における前記紙幣の向きに関する情報を含む、請求項１〜７のいずれか一項に記載の紙幣処理装置。
【請求項９】
前記紙幣処理装置は、結束対象の紙幣が搬送され、かつ、搬送された紙幣を所定の枚数まで集積可能な一時集積部をさらに備え、
前記再投入される紙幣は、前記一時集積部から取り出された紙幣を含む、請求項１〜８のいずれか一項に記載の紙幣処理装置。
【請求項１０】
前記一時集積部に集積されている紙幣が取り出される時期は、前記紙幣処理装置において紙幣の搬送が停止された場合を含む、請求項９に記載の紙幣処理装置。
【請求項１１】
前記紙幣処理装置は、結束対象外の紙幣が搬送され、かつ、搬送された紙幣を格納する結束対象外紙幣格納部と、
前記再投入される紙幣が過去に前記結束対象外紙幣格納部に搬送された紙幣であり、かつ、前記再投入される紙幣と対応づけて前記記憶部に記憶されている取引状況が取引完了を示す場合に、再投入に関する警告を示す表示を表示部に表示させる警告部と、をさらに備える、請求項９または１０に記載の紙幣処理装置。
【発明の詳細な説明】
【技術分野】
【０００１】
本発明は、紙幣処理装置に関する。
【背景技術】
【０００２】
従来、利用者により投入された紙幣を、例えば紙幣の金種や、紙幣の状態に応じて異なる格納場所に格納する紙幣処理装置が開発されている。
【０００３】
また、紙幣処理装置において、例えば障害の発生時などに、紙幣の計数結果の厳格性を確保するための技術も提案されている。例えば、特許文献１には、紙幣の搬送障害が発生し、利用者により一時集積部から紙幣が抜き取られた場合に、抜き取られた紙幣の枚数（以下、戻し枚数と称する）を記憶した後に、抜き取られた紙幣の再投入を受け入れ、そして、受け入れた紙幣のうち戻し枚数だけ一時集積部に集積する技術が記載されている。
【先行技術文献】
【特許文献】
【０００４】
【特許文献１】特開２００８−４０６２７号公報
【発明の概要】
【発明が解決しようとする課題】
【０００５】
ところで、例えば取引の途中で搬送障害等が発生し、紙幣処理装置から紙幣が取り出された場合には、前回取引の完了時における紙幣の格納状態に復旧可能であることも望まれている。
【０００６】
このような場面に上記の技術を適用することを想定すると、上記の技術では、紙幣が再投入された場合において、紙幣の枚数だけしか一致させることができない。つまり、上記の技術では、前回取引の完了時に格納されていた紙幣の枚数と、新たに格納される紙幣の枚数とを一致させることしかできない。このため、例えば紙幣処理装置から取り出された紙幣とは異なる紙幣が投入された場合には、実際に格納されていた紙幣とは異なる紙幣が格納される恐れがある。
【０００７】
そこで、本発明は、上記問題に鑑みてなされたものであり、本発明の目的とするところは、紙幣が再投入される場面において、取引の完了時における紙幣の格納状態に復旧させることが可能な、新規かつ改良された紙幣処理装置を提供することにある。
【課題を解決するための手段】
【０００８】
上記課題を解決するために、本発明のある観点によれば、取引時に投入された紙幣を鑑別し、かつ、前記紙幣の記番号を取得する鑑別部と、前記紙幣の鑑別結果に基づいて、前記紙幣の搬送先を決定する制御部と、取得された前記紙幣の記番号と、前記紙幣に関する取引状況とを対応づけて記憶する記憶部と、を備え、前記制御部は、再投入された紙幣から取得される記番号に対応づけて前記記憶部に記憶されている取引状況に基づいて、前記再投入された紙幣の搬送先を決定する、紙幣処理装置が提供される。
【０００９】
前記制御部は、前記再投入された紙幣から取得される記番号に対応づけて前記記憶部に記憶されている取引状況が取引完了を示すか否かに基づいて、前記再投入された紙幣の搬送先を決定してもよい。
【００１０】
前記記憶部は、前記紙幣の記番号と、前記制御部により決定された前記紙幣の搬送先を示す搬送先情報とをさらに対応づけて記憶し、前記制御部は、前記再投入された紙幣から取得される記番号に対応づけて前記記憶部に記憶されている取引状況が取引完了を示す場合には、当該記番号に対応づけて前記記憶部に記憶されている搬送先情報が示す場所を前記再投入された紙幣の搬送先として決定してもよい。
【００１１】
前記記憶部は、前記紙幣の記番号と、前記紙幣の鑑別結果とをさらに対応づけて記憶し、前記制御部は、前記再投入された紙幣から取得される記番号に対応づけて前記記憶部に記憶されている取引状況が取引完了を示す場合には、当該記番号に対応づけて前記記憶部に記憶されている鑑別結果に基づいて、前記再投入された紙幣の搬送先を決定してもよい。
【００１２】
前記鑑別部は、前記再投入された紙幣をさらに鑑別し、前記制御部は、前記再投入された紙幣から取得される記番号に対応づけて前記記憶部に記憶されている取引状況が取引完了を示す場合には、前記再投入された紙幣の鑑別結果に基づいて、前記再投入された紙幣の搬送先を決定してもよい。
【００１３】
前記制御部は、前記再投入された紙幣から取得される記番号に対応づけて前記記憶部に記憶されている取引状況が取引完了を示さない場合には、前記再投入された紙幣の搬送先を、紙幣を排出するための排出部に決定してもよい。
【００１４】
前記制御部は、前記再投入された紙幣から取得される記番号が前記記憶部に記憶されていない場合には、前記再投入された紙幣の搬送先を前記排出部に決定してもよい。
【００１５】
前記紙幣の鑑別結果は、前記紙幣の種類、前記紙幣の状態、または鑑別時における前記紙幣の向きに関する情報を含んでもよい。
【００１６】
前記紙幣処理装置は、結束対象の紙幣が搬送され、かつ、搬送された紙幣を所定の枚数まで集積可能な一時集積部をさらに備え、前記再投入される紙幣は、前記一時集積部から取り出された紙幣を含んでもよい。
【００１７】
前記一時集積部に集積されている紙幣が取り出される時期は、前記紙幣処理装置において紙幣の搬送が停止された場合を含んでもよい。
【００１８】
前記紙幣処理装置は、結束対象外の紙幣が搬送され、かつ、搬送された紙幣を格納する結束対象外紙幣格納部と、前記再投入される紙幣が過去に前記結束対象外紙幣格納部に搬送された紙幣であり、かつ、前記再投入される紙幣と対応づけて前記記憶部に記憶されている取引状況が取引完了を示す場合に、再投入に関する警告を示す表示を表示部に表示させる警告部と、をさらに備えてもよい。
【発明の効果】
【００１９】
以上説明したように本発明によれば、紙幣が再投入される場面において、取引の完了時における紙幣の格納状態に復旧させることができる。
【図面の簡単な説明】
【００２０】
【図１】本発明の各実施形態に共通する紙幣処理装置１０の基本構成を示した説明図である。
【図２】同実施形態による全体的な処理の流れを示したフローチャートである。
【図３】本発明の比較例による入金処理の動作を示したフローチャートである。
【図４】同比較例による戻し処理の動作を示したフローチャートである。
【図５】本発明の第１の実施形態による紙幣処理装置１０‐１の内部構成を示した機能ブロック図である。
【図６】紙幣の一例の外観図である。
【図７】同実施形態による記憶部１１８に記録されるデータ例を示した説明図である。
【図８】同実施形態による紙幣処理装置１０‐１の紙幣の格納状況の一例を示した説明図である。
【図９】同実施形態による紙幣処理装置１０‐１から紙幣が取り出された状況を示した説明図である。
【図１０】同実施形態による戻し処理後の紙幣処理装置１０‐１の紙幣の格納状況の一例を示した説明図である。
【図１１】同実施形態による入金処理の動作を示したフローチャートである。
【図１２】同実施形態による戻し処理の動作を示したフローチャートである。
【図１３】本発明の第２の実施形態による紙幣処理装置１０‐２の内部構成を示した機能ブロック図である。
【図１４】同実施形態による紙幣処理装置１０‐２の紙幣の格納状況の一例を示した説明図である。
【図１５】同実施形態による取引時において警告表示される場面の例を示した説明図である。
【図１６】同実施形態による入金処理の動作の一部を示したフローチャートである。
【図１７】同実施形態による入金処理の動作の一部を示したフローチャートである。
【発明を実施するための形態】
【００２１】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２２】
また、本明細書及び図面において、実質的に同一の機能構成を有する複数の構成要素を、同一の符号の後に異なるアルファベットを付して区別する場合もある。例えば、実質的に同一の機能構成を有する複数の構成を、必要に応じて一時集積部１１０ａおよび一時集積部１１０ｂのように区別する。ただし、実質的に同一の機能構成を有する複数の構成要素の各々を特に区別する必要がない場合、同一符号のみを付する。例えば、一時集積部１１０ａおよび一時集積部１１０ｂを特に区別する必要が無い場合には、単に一時集積部１１０と称する。
【００２３】
また、以下に示す項目順序に従って当該「発明を実施するための形態」を説明する。
１．基本構成
２．本発明の比較例
３．実施形態の詳細な説明
３−１．第１の実施形態
３−２．第２の実施形態
４．変形例
【００２４】
＜＜１．基本構成＞＞
本発明は、一例として「３−１．第１の実施形態」〜「３−２．第２の実施形態」において詳細に説明するように、多様な形態で実施され得る。最初に、各実施形態に共通する紙幣処理装置１０の基本構成について図１を参照して説明する。
【００２５】
紙幣処理装置１０は、利用者により例えば入金取引において投入された紙幣を集積するための装置である。図１に示したように、各実施形態による紙幣処理装置１０は、投入部１００、鑑別部１０２、リジェクトポケット１０４、オープンポケット１０６、表裏反転部１０８、一時集積部１１０、移送部１１２、および紙幣結束部１１４を含む。
【００２６】
＜１−１．投入部１００＞
投入部１００は、利用者による複数の紙幣の投入を受け入れる部位である。また、投入部１００は、受け入れた紙幣を鑑別部１０２へ搬送する。
【００２７】
＜１−２．鑑別部１０２＞
鑑別部１０２は、搬送された紙幣に関して、例えば紙幣の真偽、金種などの紙幣の種類、正券（汚れが少ない紙幣）であるか損券（汚れが多い紙幣）であるかといった紙幣の状態、または鑑別時における紙幣の表裏の向きなど（以下、これらを総称して鑑別種別と称する）を鑑別する。なお、鑑別部１０２により鑑別された紙幣は、鑑別結果に応じて予め定められている搬送先に搬送される。
【００２８】
また、鑑別部１０２は、鑑別した紙幣のうち、後述するリジェクトポケット１０４へ搬送対象となる紙幣以外について、搬送先別に紙幣の枚数を計数する。
【００２９】
＜１−３．リジェクトポケット１０４＞
リジェクトポケット１０４は、本発明における排出部の一例である。リジェクトポケット１０４は、鑑別部１０２により金種不明もしくは受付不能と鑑別された紙幣を格納する部位である。図１に示したように、リジェクトポケット１０４は、例えば紙幣処理装置１０の上方に設けられており、格納された紙幣を利用者が立った状態で容易に回収することが可能である。なお、リジェクトポケット１０４から回収された紙幣は、利用者により手扱いで管理される。
【００３０】
＜１−４．オープンポケット１０６＞
オープンポケット１０６は、本発明における結束対象外紙幣格納部の一例である。オープンポケット１０６は、鑑別部１０２による鑑別結果が、リジェクトポケット１０４への搬送対象外で、かつ、予め結束対象と定められている鑑別種別に該当しない場合に、鑑別された紙幣が搬送され、そして、搬送された紙幣を格納する部位である。また、オープンポケット１０６は、図１に示したように、例えば紙幣処理装置１０の上方に設けられており、格納された紙幣を利用者が立った状態で容易に回収することが可能である。なお、オープンポケット１０６から回収された紙幣は、利用者の手元で確定現金として管理される。
【００３１】
＜１−５．表裏反転部１０８＞
表裏反転部１０８は、搬送された紙幣のうち裏面が上になっている紙幣に関して、表裏を反転する部位である。なお、図１に示したように、表裏反転部１０８には、基本的には、搬送先が一時集積部１１０である紙幣だけが搬送される。ただし、かかる例に限定されず、搬送先がリジェクトポケット１０４またはオープンポケット１０６である紙幣に関しても表裏反転部１０８に搬送されることが可能である。
【００３２】
＜１−６．一時集積部１１０＞
一時集積部１１０は、鑑別部１０２による鑑別結果が、予め結束対象と定められている鑑別種別に該当する場合に、鑑別された紙幣が搬送され、かつ、搬送された紙幣を集積する部位である。この一時集積部１１０は、電磁ロック等の施錠機構が設けられており、金庫性を有する。
【００３３】
また、一時集積部１１０は、予め定められた結束枚数（例えば１００枚）まで集積可能である。そして、一時集積部１１０に集積されている紙幣の枚数が結束枚数に達した場合には、集積されている紙幣は全て移送部１１２に搬送される。
【００３４】
また、図１において５個の一時集積部１１０ａ〜１１０ｅが設けられた例を示しているように、一時集積部１１０は、紙幣処理装置１０内に少なくとも１個以上設けられ、それぞれ異なる鑑別種別の紙幣を集積する。
【００３５】
＜１−７．移送部１１２＞
移送部１１２は、一時集積部１１０から搬送された結束枚数の紙幣を紙幣結束部１１４へ移送する部位である。
【００３６】
＜１−８．紙幣結束部１１４＞
紙幣結束部１１４は、移送部１１２から移送された結束枚数の紙幣に対して例えばテープを巻き付けて結束することにより、紙幣束を作成する。なお、作成された紙幣束は、放出口（図示省略）へ搬送され、紙幣処理装置１０外へ放出される。
【００３７】
＜１−９．全体的な処理の流れ＞
次に、図２を参照して、各実施形態に共通する紙幣処理装置１０の全体的な処理の流れについて説明する。図２は、各実施形態に共通する全体的な処理の流れを示したフローチャートである。
【００３８】
図２に示したように、まず、紙幣処理装置１０は、例えば入金取引時において利用者から紙幣の投入を受け付ける「入金処理」を行う（Ｓ１１）。なお、「入金処理」の具体的な内容については後述する。
【００３９】
そして、紙幣処理装置１０は、Ｓ１１の終了後またはＳ１１の途中において、例えば紙幣の搬送エラーが検知された、または利用者により強制終了の入力がなされたといった所定の条件が成立したか否かを判断する（Ｓ１２）。所定の条件が成立しない場合には（Ｓ１２：Ｎｏ）、紙幣処理装置１０は、Ｓ１１の動作を繰り返す。
【００４０】
一方、所定の条件が成立した場合には（Ｓ１２：Ｙｅｓ）、紙幣処理装置１０は、障害等の発生前において一時集積部１１０に紙幣が集積されていた状態に復旧させるための「戻し処理」を行う（Ｓ１３）。なお、「戻し処理」の具体的な内容については後述する。
【００４１】
その後、紙幣処理装置１０は、利用者により例えば紙幣処理装置１０に設置されている操作表示部１１６（図示省略）に対して、戻し処理の完了の入力がなされたか否かを判定する（Ｓ１４）。戻し処理の完了の入力がなされていない場合には（Ｓ１４：Ｎｏ）、紙幣処理装置１０は、Ｓ１４の動作を繰り返す。一方、戻し処理の完了の入力がなされた場合には（Ｓ１４：Ｙｅｓ）、紙幣処理装置１０は、再びＳ１１の動作を行う。
【００４２】
＜＜２．本発明の比較例＞＞
以上、各実施形態に共通する紙幣処理装置１０の基本構成について説明した。ここで、本発明の特徴を明確に示すために、本発明の比較例による紙幣処理装置９０について説明する。なお、紙幣処理装置９０の基本構成は、本実施形態による紙幣処理装置１０と同様であるので、説明を省略する。以下では、本発明の比較例による動作内容について、「２−１−１．入金処理」〜「２−１−２．戻し処理」において説明する。
【００４３】
＜２−１．比較例による動作＞
［２−１−１．入金処理］
図３は、本発明の比較例によるＳ１１の「入金処理」の動作を詳細に示したフローチャートである。図３に示したように、まず、利用者は、例えば操作表示部１１６に対して所望の取引内容を入力することにより、入金取引を開始する（Ｓ９０１）。
【００４４】
続いて、利用者は、例えば操作表示部１１６に表示された指示に従って、投入部１００に対して紙幣を投入する（Ｓ９０２）。
【００４５】
その後、紙幣処理装置９０は、Ｓ９０２で投入された紙幣を鑑別部１０２に搬送する。そして、鑑別部１０２は、搬送された紙幣を鑑別する（Ｓ９０３）。
【００４６】
続いて、Ｓ９０３での鑑別結果が金種不明もしくは受付不能の紙幣である場合には（Ｓ９０４：Ｙｅｓ）、紙幣処理装置９０は、鑑別された紙幣をリジェクトポケット１０４へ搬送する（Ｓ９０５）。そして、紙幣処理装置９０は、「入金処理」を終了する。
【００４７】
また、Ｓ９０３での鑑別結果が、リジェクトポケット１０４への搬送対象外であり（Ｓ９０４：Ｎｏ）、かつ、結束対象と定められている鑑別種別に該当しない場合には（Ｓ９０６：Ｙｅｓ）、紙幣処理装置９０は、鑑別された紙幣をオープンポケット１０６へ搬送する（Ｓ９０７）。そして、紙幣処理装置９０は、「入金処理」を終了する。
【００４８】
また、Ｓ９０３での鑑別結果が、リジェクトポケット１０４への搬送対象外であり（Ｓ９０４：Ｎｏ）、かつ、結束対象と定められている鑑別種別に該当する場合には（Ｓ９０６：Ｎｏ）、紙幣処理装置９０は、鑑別された紙幣を表裏反転部１０８を経由して、複数の一時集積部１１０のうち鑑別結果に対応する一時集積部１１０へ搬送する。そして、紙幣が搬送された一時集積部１１０は、当該紙幣を集積する（Ｓ９０８）。
【００４９】
続いて、紙幣処理装置９０は、該当の一時集積部１１０に集積されている紙幣の枚数を記憶する（Ｓ９０９）。
【００５０】
続いて、紙幣処理装置９０は、該当の一時集積部１１０に集積されている紙幣の枚数が結束枚数に達したか否かを判定する（Ｓ９１０）。集積されている紙幣の枚数が結束枚数に達していない場合には（Ｓ９１０：Ｎｏ）、紙幣処理装置９０は、「入金処理」を終了する。
【００５１】
一方、集積されている紙幣の枚数が結束枚数に達している場合には（Ｓ９１０：Ｙｅｓ）、紙幣処理装置９０は、該当の一時集積部１１０に集積されている全ての紙幣を紙幣結束部１１４へ移送部１１２に移送させる。そして、紙幣結束部１１４は、移送された結束枚数の紙幣から紙幣束を作成する（Ｓ９１１）。
【００５２】
その後、紙幣処理装置９０は、該当の一時集積部１１０に対応づけて記憶されている集積枚数を「０枚」に更新する（Ｓ９１２）。そして、紙幣処理装置９０は、「入金処理」を終了する。
【００５３】
［２−１−２．戻し処理］
また、図４は、本発明の比較例によるＳ１３の「戻し処理」の動作を詳細に示したフローチャートである。図４に示したように、まず、利用者は、紙幣処理装置９０の筐体を開け、そして、一時集積部１１０に集積されている紙幣を全て取り出す（Ｓ９２０）。
【００５４】
その後、利用者は、取り出した紙幣のうち一部を投入部１００に再投入する（Ｓ９２１）。
【００５５】
その後、紙幣処理装置９０は、各一時集積部１１０に現在集積されている紙幣の枚数と、各一時集積部１１０に対応づけて記憶されている集積枚数とが全て等しいか否かを判定する（Ｓ９２２）。全て等しい場合には（Ｓ９２２：Ｙｅｓ）、紙幣処理装置９０は、「戻し処理」を終了する。
【００５６】
一方、いずれかの一時集積部１１０に関して、集積されている紙幣の枚数と、記憶されている集積枚数とが等しくない場合には（Ｓ９２２：Ｎｏ）、紙幣処理装置９０は、次に、再投入された全ての紙幣の搬送が終了したか否かを判定する（Ｓ９２３）。
【００５７】
再投入された紙幣の搬送が終了していない場合には（Ｓ９２３：Ｎｏ）、紙幣処理装置９０は、まず、搬送が終了していない紙幣を投入部１００から鑑別部１０２へ一枚搬送する。そして、鑑別部１０２は、搬送された紙幣を鑑別する（Ｓ９２４）。
【００５８】
なお、図４に示したＳ９２５〜Ｓ９２９の動作は、図３に示したＳ９０４〜Ｓ９０８の動作と概略同様である。
【００５９】
一方、Ｓ９２３において再投入された紙幣の搬送が終了した場合には（Ｓ９２３：Ｙｅｓ）、紙幣処理装置９０は、投入部１００に紙幣を追加してセットさせるためのメッセージを例えば操作表示部１１６に表示する（Ｓ９３０）。
【００６０】
その後、利用者は、取り出した紙幣のうち残りの全てまたは一部を投入部１００に再投入する（Ｓ９３１）。そして、紙幣処理装置９０は、再びＳ９２２の動作を行う。
【００６１】
＜２−２．課題の整理＞
上述したように、本発明の比較例による紙幣処理装置９０は、入金処理時において一時集積部１１０に集積されている紙幣の枚数を記憶しておき、そして、戻し処理時において、再投入された紙幣のうち一時集積部１１０へ搬送対象となる紙幣を、記憶されている集積枚数に達するまで一時集積部１１０へ搬送する。
【００６２】
ところで、例えば取引単位で紙幣の枚数が管理されている状況などでは、取引の途中で搬送障害等が発生し、紙幣処理装置９０から紙幣が取り出された場合には、前回取引の完了時における紙幣の格納状態に復旧可能であることが望ましい。つまり、前回取引の完了時に格納されていた紙幣と同じ紙幣が再び紙幣処理装置９０に格納されることが望ましい。
【００６３】
しかしながら、紙幣処理装置９０は、紙幣の枚数だけしか一致させることができない。このため、例えば、戻し処理時において、紙幣処理装置９０から取り出された紙幣とは異なる紙幣が投入された場合には、実際に格納されていた紙幣とは異なる紙幣が紙幣処理装置９０に格納される恐れがある。
【００６４】
また、本発明の比較例による第２の課題として、以下が挙げられる。通常、鑑別部１０２による鑑別の精度には限界があるので、例えば正券であるか損券であるかといった紙幣の状態の鑑別結果は、入金処理時と戻し処理時との間で異なる可能性がある。このため、例えば正券であるか損券であるかの区別によって異なる格納先に紙幣を搬送させるように設定されている状況では、紙幣処理装置９０は、再投入された紙幣を入金処理時とは異なる搬送先に搬送してしまう可能性があるので、再投入された紙幣が一時集積部１１０に戻りきらない状況も発生する可能性がある。その結果、一時集積部１１０に戻りきらない紙幣は利用者が手作業で計数し、管理しなければならなくなる。
【００６５】
そこで、上記事情を一着眼点にして各実施形態による紙幣処理装置１０を創作するに至った。各実施形態による紙幣処理装置１０は、紙幣が再投入される場面において、前回取引の完了時における紙幣の格納状態に復旧させることが可能である。以下、各実施形態について順次詳細に説明する。
【００６６】
＜＜３．実施形態の詳細な説明＞＞
＜３−１．第１の実施形態＞
［３−１−１．内部構成］
まず、第１の実施形態による紙幣処理装置１０‐１の内部構成について説明する。図５は、第１の実施形態による紙幣処理装置１０‐１の内部構成を示した機能ブロック図である。図５に示したように、紙幣処理装置１０‐１は、投入部１００、鑑別部１０２、リジェクトポケット１０４、オープンポケット１０６、表裏反転部１０８、一時集積部１１０、移送部１１２、紙幣結束部１１４、操作表示部１１６、記憶部１１８、および制御部１２０を有する。なお、以下では、１節における説明と重複する内容に関しては説明を省略する。
【００６７】
（３−１−１−１．鑑別部１０２）
鑑別部１０２は、投入部１００から搬送された紙幣を鑑別するとともに、当該紙幣の記番号を取得する。ここで、図６を参照して、上記の機能についてより詳細に説明する。図６は、紙幣の一例（紙幣２０）の外観図である。図６に示したように、紙幣２０は、予め印刷局により記番号が印字された記番号印字欄２００を含む。なお、図６では、記番号として「００１」が印字されている例を示している。
【００６８】
例えば、鑑別部１０２は、ＯＣＲ（Ｏｐｔｉｃａｌ  Ｃｈａｒｃｔｅｒ  Ｒｅｃｏｇｎｉｔｉｏｎ）により、記番号印字欄２００ａまたは記番号印字欄２００ｂから紙幣の記番号を読み取る。
【００６９】
（３−１−１−２．操作表示部１１６）
操作表示部１１６は、本発明における表示部の一例である。操作表示部１１６は、例えばタッチパネルを有したディスプレイにより構成される。操作表示部１１６は、後述する制御部１２０の制御に従って、各種の操作画面やエラーメッセージなどを表示する。
【００７０】
また、操作表示部１１６は、利用者による紙幣処理装置１０‐１に対する各種の入力操作を受け付ける。例えば、操作表示部１１６は、利用者による取引内容の入力操作を受け付ける。
【００７１】
（３−１−１−３．記憶部１１８）
記憶部１１８は、例えばＨＤＤ（Ｈａｒｄ  Ｄｉｓｋ  Ｄｒｉｖｅ）などにより構成される。記憶部１１８では、例えば鑑別部１０２による鑑別結果、取得された記番号、および鑑別された紙幣に関する取引状況が対応づけて記憶される。
【００７２】
図７は、記憶部１１８に格納されるデータの構成例を示した説明図である。図７に示したように、例えば、記憶部１１８には、Ｎｏ１１８０、金種１１８２、正損１１８４、表裏１１８６、記番号１１８８、搬送先１１９０、および確定端数フラグ１１９２が対応づけて記録される。ここで、Ｎｏ１１８０には、データの識別番号が記録される。また、金種１１８２には、例えば１万円札や５千円札など、該当の紙幣の金種が記録される。また、正損１１８４には、正券であるか損券であるかの鑑別結果が記録される。また、表裏１１８６には、鑑別時における該当の紙幣の表裏の向きが記録される。また、記番号１１８８には、該当の紙幣から取得された記番号が記録される。また、搬送先１１９０には、入金処理において該当の紙幣が搬送された格納先が記録される。また、確定端数フラグ１１９２には、該当の紙幣に関する取引状況や結束状況を識別するための値（確定端数フラグ）が記録される。例えば、確定端数フラグ１１９２には、該当の紙幣に関する取引が完了している場合には「１」が記録され、また、該当の紙幣に関する取引が完了していない場合には「０」が記録される。また、該当の紙幣が結束済みである場合（つまり、該当の紙幣が一時集積部１１０に搬送された後に、紙幣結束部１１４に搬送された場合）には「０」が記録される。
【００７３】
例えば、図７に示した１レコード目のデータは、データＮｏが「００１」であり、鑑別結果が「１万円札の正券で、鑑別時に表向きだった紙幣」であり、紙幣の記番号が「００１」であり、当該紙幣が「集積１」という一時集積部１１０に搬送され、かつ、当該紙幣に対応する確定端数フラグの値が「１」であることを示している。なお、図７に示した例は、例えば「１万円札の正券」が「集積１」、「１万円札の損券」が「集積２」のように、１万円札だけが一時集積部１１０に搬送されるように設定されていることを前提としている。
【００７４】
（３−１−１−４．制御部１２０）
制御部１２０は、入金処理時において、鑑別部１０２による紙幣の鑑別結果に基づいて、紙幣の搬送先を決定する。
【００７５】
また、制御部１２０は、戻し処理時において、再投入された紙幣から取得される記番号に対応づけて記憶部１１８に記憶されている確定端数フラグが「１」（＝取引完了）であるか否かに基づいて、再投入された紙幣の搬送先を決定する。
【００７６】
‐ａ．取引が完了している場合の決定例‐
例えば、戻し処理時において紙幣から取得される記番号に対応づけて記憶部１１８に記憶されている確定端数フラグが「１」である場合には、制御部１２０は、当該記番号に対応づけて記憶部１１８に記憶されている搬送先１１９０が示す場所を、再投入された紙幣の搬送先として決定する。図７に示した例では、戻し処理時において、記番号が「００１」である紙幣が再投入された場合には、制御部１２０は、当該紙幣の搬送先を「集積１」に決定する。
【００７７】
なお、変形例として、戻し処理時において紙幣から取得される記番号に対応づけて記憶部１１８に記憶されている確定端数フラグが「１」である場合には、制御部１２０は、当該記番号に対応づけて記憶部１１８に記憶されている鑑別結果に基づいて、再投入された紙幣の搬送先を決定してもよい。図７に示した例では、記番号が「００１」である紙幣が再投入された場合には、制御部１２０は、「１万円札の正券で、鑑別時に表向きだった紙幣」に対応づけられた場所を、当該紙幣の搬送先として決定する。
【００７８】
また、別の変形例として、戻し処理時において紙幣から取得される記番号に対応づけて記憶部１１８に記憶されている確定端数フラグが「１」である場合には、制御部１２０は、鑑別部１０２による、再投入された紙幣の鑑別結果に基づいて、再投入された紙幣の搬送先を決定してもよい。
【００７９】
‐ｂ．取引が完了していない場合の決定例‐
また、制御部１２０は、戻し処理時において紙幣から取得される記番号に対応づけて記憶部１１８に記憶されている確定端数フラグが「０」（＝取引未完了）である場合には、再投入された紙幣の搬送先をリジェクトポケット１０４に決定する。図７に示した例では、例えば記番号が「０１１」や「０１２」である紙幣が再投入された場合には、制御部１２０は、これらの紙幣の搬送先をリジェクトポケット１０４に決定する。
【００８０】
‐ｃ．記番号が記録されていない場合の決定例‐
また、制御部１２０は、戻し処理時において紙幣から取得される記番号が記憶部１１８に記憶されていない場合には、再投入された紙幣の搬送先をリジェクトポケット１０４に決定する。
【００８１】
ここで、図８〜図１０を参照して、上記の制御部１２０の機能についてより詳細に説明する。図８は、例えば紙幣の搬送エラーなどの障害発生時における紙幣処理装置１０‐１の紙幣の格納状況の一例を示した説明図である。なお、図８では、例えば記番号が「００１」や「００２」などの６枚の紙幣が一時集積部１１０に集積されており、また、記番号が「１１１」、「１１２」、「１１３」の３枚の紙幣がオープンポケット１０６に格納されている状況を示している。なお、図８に示した各紙幣は、図７に示した記憶部１１８に記録されているデータにそれぞれ対応しているものとする。
【００８２】
また、図９は、図８に示した状況の後に、紙幣処理装置１０‐１から全ての紙幣が取り出された状況（戻し処理がなされる前の状況）を示した説明図である。また、図１０は、図９に示した状況の後に、一時集積部１１０から取り出された紙幣が紙幣処理装置１０‐１に再投入され、戻し処理が実行された直後における紙幣の格納状況を示した説明図である。
【００８３】
記番号が「００１」、「００２」、「００３」である紙幣に関しては、記憶部１１８に記憶されている確定端数フラグが「１」であるので、図１０に示したように、例えば、制御部１２０は、この３枚の紙幣をそれぞれ、記憶部１１８に記憶されている搬送先１１９０が示す場所（つまり、３枚とも一時集積部１１０）に搬送する。また、記番号が「０１１」、「０１２」、「０１３」である紙幣に関しては、記憶部１１８に記憶されている確定端数フラグが「０」であるので、制御部１２０は、この３枚の紙幣をそれぞれリジェクトポケット１０４に搬送する。
【００８４】
なお、障害発生時にオープンポケット１０６に格納されていた紙幣（つまり、記番号が「１１１」、「１１２」、「１１３」の３枚の紙幣）に関しては、運用ルール上、利用者は紙幣処理装置１０‐１に再投入しない。
【００８５】
［３−１−２．動作］
以上、第１の実施形態による内部構成について説明した。続いて、第１の実施形態による動作の内容について、「３−１−２−１．入金処理」〜「３−１−２−２．戻し処理」において説明する。
【００８６】
（３−１−２−１．入金処理）
まず、第１の実施形態による「入金処理」の動作について説明する。図１１は、第１の実施形態によるＳ１１の「入金処理」の動作を詳細に示したフローチャートである。なお、図１１におけるＳ１０１〜Ｓ１０３の動作は、図３に示した本発明の比較例によるＳ９０１〜Ｓ９０３と同様である。
【００８７】
Ｓ１０３の後、鑑別部１０２は、鑑別対象の紙幣から記番号を取得する。そして、制御部１２０は、取得された記番号、およびＳ１０３における鑑別結果を対応づけて記憶部１１８に記録する（Ｓ１０４）。
【００８８】
さらに、制御部１２０は、当該紙幣に対応する確定端数フラグを「０」として記憶部１１８に記録する（Ｓ１０５）。
【００８９】
なお、Ｓ１０６〜Ｓ１０７の動作は、本発明の比較例によるＳ９０４〜Ｓ９０５と同様である。
【００９０】
Ｓ１０７の後、制御部１２０は、当該紙幣を搬送した場所を当該紙幣の記番号と対応づけて記憶部１１８に記録する（Ｓ１０８）。
【００９１】
その後、制御部１２０は、当該紙幣に関する取引が終了したか否かを判定する（Ｓ１０９）。取引が終了していない場合には（Ｓ１０９：Ｎｏ）、制御部１２０は、再びＳ１０３の動作を行う。
【００９２】
一方、取引が終了した場合には（Ｓ１０９：Ｙｅｓ）、制御部１２０は、当該取引の全ての紙幣のうち後述するＳ１１６により紙幣結束部１１４へ移送された紙幣以外の各紙幣に関して、それぞれＳ１０４で取得された記番号に対応づけて記憶部１１８に記録されている確定端数フラグの値を「１」（＝取引完了）に変更する（Ｓ１１０）。これにより、一時集積部１１０に集積されていた紙幣は確定端数フラグの値が「１」になる。そして、紙幣処理装置１０‐１は、「入金処理」を終了する。
【００９３】
なお、Ｓ１１１〜Ｓ１１２の動作は、本発明の比較例によるＳ９０６〜Ｓ９０７と同様である。また、Ｓ１１２の後には、制御部１２０は、上述したＳ１０８以降の動作を行う。
【００９４】
また、Ｓ１１３の動作は、本発明の比較例によるＳ９０８と同様であり、Ｓ１１４の動作は、上述したＳ１０８の動作と同様である。
【００９５】
Ｓ１１４の後、制御部１２０は、該当の一時集積部１１０に集積されている紙幣の枚数が結束枚数に達したか否かを判定する（Ｓ１１５）。集積されている紙幣の枚数が結束枚数に達していない場合には（Ｓ１１５：Ｎｏ）、制御部１２０は、上述したＳ１０９以降の動作を行う。
【００９６】
一方、集積されている紙幣の枚数が結束枚数に達している場合には（Ｓ１１５：Ｙｅｓ）、制御部１２０は、本発明の比較例によるＳ９１１と同様の処理を行う（Ｓ１１６）。その後、制御部１２０は、上述したＳ１０９以降の動作を行う。
【００９７】
（３−１−２−２．戻し処理）
次に、第１の実施形態による「戻し処理」の動作について説明する。図１２は、第１の実施形態によるＳ１３の「戻し処理」の動作を詳細に示したフローチャートである。なお、図１２におけるＳ１２０〜Ｓ１２１の動作は、図４に示した本発明の比較例によるＳ９２０〜Ｓ９２１と同様である。
【００９８】
Ｓ１２１の後、制御部１２０は、記憶部１１８に記憶されている、一時集積部１１０に集積されていた全ての紙幣の記番号を抽出する。そして、制御部１２０は、抽出された全ての記番号の紙幣の搬送が終了したか否かを判定する（Ｓ１２２）。抽出された全ての記番号の紙幣の搬送が終了した場合には（Ｓ１２２：Ｙｅｓ）、紙幣処理装置１０‐１は、「戻し処理」を終了する。
【００９９】
一方、抽出された記番号の紙幣のうち１以上の紙幣の搬送が終了していない場合には（Ｓ１２２：Ｎｏ）、制御部１２０は、Ｓ１２１で再投入された全ての紙幣の搬送が終了したか否かを判定する（Ｓ１２３）。
【０１００】
再投入された紙幣の搬送が終了していない場合には（Ｓ１２３：Ｎｏ）、制御部１２０は、まず、搬送が終了していない紙幣を投入部１００から鑑別部１０２へ一枚搬送させる。そして、鑑別部１０２は、搬送された紙幣から記番号を取得する（Ｓ１２４）。
【０１０１】
続いて、制御部１２０は、Ｓ１２４で取得された記番号が記憶部１１８に記録されているか否かを確認する（Ｓ１２５）。取得された記番号が記憶部１１８に記録されていない場合には（Ｓ１２５：Ｎｏ）、制御部１２０は、当該紙幣をリジェクトポケット１０４へ搬送させる（Ｓ１２８）。そして、制御部１２０は、再びＳ１２２の動作を行う。
【０１０２】
一方、取得された記番号が記憶部１１８に記録されている場合には（Ｓ１２５：Ｙｅｓ）、制御部１２０は、次に、当該記番号に対応づけて記憶部１１８に記録されている確定端数フラグが「１」であるか否かを判定する（Ｓ１２６）。確定端数フラグが「１」でない場合には（Ｓ１２６：Ｎｏ）、制御部１２０は、上述したＳ１２８の動作を行う。
【０１０３】
確定端数フラグが「１」である場合には（Ｓ１２６：Ｙｅｓ）、制御部１２０は、当該記番号に対応づけて記憶部１１８に記録されている格納先へ当該紙幣を搬送させる（Ｓ１２７）。そして、制御部１２０は、再びＳ１２２の動作を行う。
【０１０４】
Ｓ１２３において、再投入された紙幣の搬送が終了している場合には（Ｓ１２３：Ｙｅｓ）、制御部１２０は、本発明の比較例によるＳ９３０と同様の動作を行う（Ｓ１２９）。
【０１０５】
その後、利用者により強制終了の入力がなされた場合には（Ｓ１３０：Ｙｅｓ）、まず、制御部１２０は、記憶部１１８に記憶されている、一時集積部１１０に集積されていた全ての紙幣の記番号のうち、まだ搬送されていない紙幣の記番号を全て特定する。そして、制御部１２０は、特定した全ての記番号を記憶部１１８に記録する（Ｓ１３２）。この処理によれば、一時集積部１１０に戻されなかった紙幣の記番号の一覧を利用者が後で確認することが可能となる。
【０１０６】
なお、利用者により強制終了の入力がなされる場合としては、例えば、一時集積部１１０に集積されていたいずれかの紙幣がボロボロになったり、または、戻し処理時に再び搬送エラーが発生するなどの原因により、一時集積部１１０に集積されていた１以上の紙幣が戻せない場面が考えられる。
【０１０７】
Ｓ１３２の後、紙幣処理装置１０‐１は、「戻し処理」を終了する。
【０１０８】
一方、利用者が強制終了の入力を行わない場合には（Ｓ１３０：Ｎｏ）、利用者は、本発明の比較例によるＳ９３１と同様の動作を行う（Ｓ１３１）。その後、制御部１２０は、再びＳ１２２の動作を行う。
【０１０９】
‐変形例‐
なお、Ｓ１３２の変形例として、制御部１２０は、さらに、記録した全ての記番号を例えば利用者の端末へ送信し、表示させてもよいし、または、プリンターに送信し、用紙に印刷させてもよい。
【０１１０】
［３−１−３．効果］
（３−１−３−１．効果１）
以上、例えば図５、図１１、および図１２等を参照して説明したように、第１の実施形態による紙幣処理装置１０‐１は、入金処理時において、投入された紙幣から記番号を取得し、そして、取得した記番号と当該紙幣に関する確定端数フラグとを対応づけて記憶する。そして、紙幣処理装置１０‐１は、戻し処理時において、再投入された紙幣から取得される記番号に対応づけて記憶されている確定端数フラグの値に基づいて、再投入された紙幣の搬送先を決定する。
【０１１１】
このため、紙幣処理装置１０‐１は、戻し処理時において再投入された紙幣に関して、当該紙幣に関する取引が完了しているか否かを判別することができるので、前回取引の完了時における紙幣の格納状態に復旧させることができる。
【０１１２】
（３−１−３−２．効果２）
また、紙幣処理装置１０‐１は、入金処理時において、取得された紙幣の記番号と、当該紙幣が搬送された格納先とを対応づけて記憶する。このため、紙幣処理装置１０‐１は、戻し処理時において再投入された紙幣を、入金処理時と同一の搬送先に正確に搬送することができる。従って、本発明の比較例のような、再投入された紙幣が一時集積部１１０に戻りきらない状況が発生することがないので、例えば戻りきらない紙幣を利用者が手作業で管理することが不要になる。その結果、戻し処理時における計数結果のさらなる厳格化につながる。
【０１１３】
＜３−２．第２の実施形態＞
以上、第１の実施形態について説明した。上述したように、第１の実施形態では、オープンポケット１０６から取り出された紙幣は、運用上、確定済み紙幣であり、その後の取引において再投入されないこととなっている。
【０１１４】
しかし、例えば利用者の誤認識などにより、オープンポケット１０６から取り出された紙幣がその後の取引で再投入されてしまうことも想定される。そして、再投入された場合には、一回目の投入時と再投入時とで二重に計数されることになる。しかし、オープンポケット１０６への搬送対象の紙幣は本来１回だけしか計数されない前提で設計されているので、計数結果が不一致になってしまう。
【０１１５】
後述するように、第２の実施形態によれば、過去にオープンポケット１０６から取り出された紙幣が再投入された場合には、再投入に対する警告を利用者に通知することが可能である。
【０１１６】
［３−２−１．内部構成］
まず、第２の実施形態による内部構成について詳細に説明する。図１３は、第２の実施形態による紙幣処理装置１０‐２の内部構成を示した機能ブロック図である。図１３に示したように、紙幣処理装置１０‐２は、図５に示した第１の実施形態による紙幣処理装置１０‐１と比較して、新たに警告部１２２を有する。なお、他の構成要素の機能に関しては、第１の実施形態と概略同様であるので、説明を省略する。
【０１１７】
（３−２−１−１．警告部１２２）
警告部１２２は、投入される紙幣が過去にオープンポケット１０６に搬送された紙幣であり、かつ、当該紙幣と対応づけて記憶部１１８に記憶されている確定端数フラグが「１」（＝取引完了）である場合には、警告表示を操作表示部１１６に表示させる。
【０１１８】
ここで、図１４および図１５を参照して、上記の機能についてより詳細に説明する。図１４は、例えば取引開始前の紙幣処理装置１０‐２の紙幣の格納状況の一例を示した説明図である。なお、図１４では、記番号が「００１」、「００２」、「００３」の３枚の紙幣は一時集積部１１０に集積されており、また、記番号が「２２１」、「２２２」、「２２３」の３枚の紙幣は過去にオープンポケット１０６に格納された後に抜取られ、専用の保管庫３０に保管されている状況を示している。なお、図１４に示した各紙幣は、図７に示した記憶部１１８に記録されているデータにそれぞれ対応しているものとする。
【０１１９】
また、図１５は、図１４に示した状況から、その後の取引が開始され、記番号が「２２１」である紙幣が紙幣処理装置１０‐２に再投入された状況を示した説明図である。
【０１２０】
記番号が「２２１」である紙幣に関しては、記憶部１１８に記憶されている確定端数フラグが「１」であるので、図１５に示したように、当該紙幣が紙幣処理装置１０‐２に再投入された場合には、警告部１２２は、例えば「オープンポケットの紙幣は投入しないで下さい」のような警告表示を操作表示部１１６に表示させる。
【０１２１】
［３−２−２．動作］
以上、第２の実施形態による内部構成について説明した。続いて、第２の実施形態による動作について説明する。なお、第２の実施形態による「戻し処理」の動作については、第１の実施形態と同様である。
【０１２２】
（３−２−２−１．入金処理）
図１６は、第２の実施形態による入金処理の動作の一部を示したフローチャートである。なお、Ｓ２０１〜Ｓ２０４の動作は、第１の実施形態によるＳ１０１〜Ｓ１０４と同様である。
【０１２３】
Ｓ２０５において、制御部１２０は、Ｓ２０４で取得された記番号に対応づけて記憶部１１８に記録されている格納先がオープンポケット１０６であり、かつ、確定端数フラグが「１」であるか否かを確認する（Ｓ２０５）。Ｓ２０５の条件が満たされない場合には、制御部１２０は、後述するＳ２２０〜Ｓ２２９の動作を行う。
【０１２４】
一方、Ｓ２０５の条件が満たされる場合には、警告部１２２は、警告表示を操作表示部１１６に表示させる（Ｓ２０６）。その後、制御部１２０は、当該紙幣をリジェクトポケット１０４へ搬送させる（Ｓ２０７）。
【０１２５】
なお、Ｓ２０８〜Ｓ２０９の動作は、第１の実施形態によるＳ１０９〜Ｓ１１０と同様である。
【０１２６】
図１７は、Ｓ２２０以降の動作を示したフローチャートである。なお、図１７に示したように、Ｓ２２０〜Ｓ２２９の動作は、第１の実施形態によるＳ１０５〜Ｓ１０８、およびＳ１１１〜Ｓ１１６と同様である。従って、ここでは説明を省略する。
【０１２７】
［３−２−３．効果］
以上、例えば図１３、図１６、および図１７等を参照して説明したように、第２の実施形態による紙幣処理装置１０‐２は、入金取引において投入される紙幣が過去にオープンポケット１０６に搬送された紙幣であり、かつ、当該紙幣と対応づけて記憶部１１８に記憶されている確定端数フラグが「１」である場合には、警告表示を操作表示部１１６に表示させ、そして、当該紙幣をリジェクトポケット１０４へ搬送する。
【０１２８】
このため、過去にオープンポケット１０６から取り出された紙幣が再投入された場合には、利用者に対して、作業誤りの注意喚起を与えることができる。その結果、以降の取引において利用者がオープンポケット１０６へ紙幣を再投入しなくなることが期待できるので、計数結果の不一致が発生する可能性を減少させることができる。
【０１２９】
＜＜４．変形例＞＞
なお、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【０１３０】
例えば、上記の説明では、各実施形態による紙幣の搬送制御方法が紙幣処理装置１０に適用される例について説明したが、かかる例に限定されない。例えば、確定現金と未確定現金との識別が必要な、入出金管理装置や自動釣銭機にも適用可能である。
【０１３１】
また、上述した各実施形態の動作における各ステップは、必ずしも記載された順序に沿って処理されなくてもよい。例えば、各ステップは、適宜順序が変更されて処理されてもよい。また、各ステップは、時系列的に処理される代わりに、一部並列的に又は個別的に処理されてもよい。
【符号の説明】
【０１３２】
１０  紙幣処理装置
３０  保管庫
９０  紙幣処理装置
１００  投入部
１０２  鑑別部
１０４  リジェクトポケット
１０６  オープンポケット
１０８  表裏反転部
１１０  一時集積部
１１２  移送部
１１４  紙幣結束部
１１６  操作表示部
１１８  記憶部
１２０  制御部
１２２  警告部
【図１】
2015219623.tif 000003
【図２】
2015219623.tif 000004
【図３】
2015219623.tif 000005
【図４】
2015219623.tif 000006
【図５】
2015219623.tif 000007
【図６】
2015219623.tif 000008
【図７】
2015219623.tif 000009
【図８】
2015219623.tif 000010
【図９】
2015219623.tif 000011
【図１０】
2015219623.tif 000012
【図１１】
2015219623.tif 000013
【図１２】
2015219623.tif 000014
【図１３】
2015219623.tif 000015
【図１４】
2015219623.tif 000016
【図１５】
2015219623.tif 000017
【図１６】
2015219623.tif 000018
【図１７】
2015219623.tif 000019